(57)【特許請求の範囲】
【請求項１】
原稿反転手段を備えた自動原稿送り装置と、前記自動原稿送り装置によって送られる原稿からの反射光を、搬送路の読取位置にロックした縮小光学系によってイメージセンサに結像し、原稿画像を読取る第１読取手段と、
前記自動原稿送り装置によって送られる原稿からの反射光を、搬送路に設けた原稿の表面読取用センサと原稿の裏面読取用センサよりなる密着型イメージセンサに導入し、原稿画像を読取る第２読取手段と、
前記第１読取手段で原稿の一方の面と反転後の他方の面が読み取られる両面高画質読取モードと、前記第２読取手段で原稿の両面が読み取られる両面高速読取モードを設定する第１設定手段と、
前記両面高速読取モードが設定されたとき解像度又は階調数の少なくとも一方を設定する第２設定手段と、
を有し、
前記第２設定手段は前記解像度又は階調数のデフォルト値に代えて、それよりも低い解像度又は階調数に設定し、設定された解像度又は階調数で原稿を読み取ることを特徴とする画像読取装置。
【請求項２】
請求項１に記載された画像読取装置において、
前記原稿の表面読取用センサで読み取られたデータと原稿の裏面読取用センサで読み取られたデータは同じ画像処理部で処理されることを特徴とする画像読取装置。
【請求項３】
請求項１または２に記載された画像読取装置において、原稿両面を前記第２読取手段によって読取る際に、ワンパスで読取動作を行わせる読取制御手段を備えたことを特徴とする画像読取装置。
【請求項４】
請求項１乃至３のいずれかに記載された画像読取装置において、前記第２読取手段の表面読取用と裏面読取用の各密着型イメージセンサが、同一の読取特性を有するものであることを特徴とする画像読取装置。
【請求項５】
請求項１乃至４のいずれかに記載された画像読取装置において、前記第２読取手段が、前記第１読取手段よりも低階調性の読取手段であることを特徴とする画像読取装置。
【請求項６】
請求項１乃至５のいずれかに記載された画像読取装置において、前記第２読取手段及び前記第１読取手段が、カラー読取が可能な読取手段であることを特徴とする画像読取装置。
【請求項７】
請求項１乃至５のいずれかに記載された画像読取装置において、前記第２読取手段が、モノクロ読取を行う読取手段であり、前記第１読取手段が、カラー読取が可能な読取手段であることを特徴とする画像読取装置。
【請求項８】
画像入力手段と、入力画像を画像形成用データに変換する画像処理手段と、画像形成用データをもとに画像を形成する画像形成手段を有する画像形成装置であって、
前記画像入力手段に請求項１乃至７のいずれかに記載された画像読取装置を備えたことを特徴とする画像形成装置。
【請求項９】
原稿反転手段を備えた自動原稿送り装置と、前記自動原稿送り装置によって送られる原稿からの反射光を、搬送路の読取位置にロックした縮小光学系によってイメージセンサに結像し、原稿画像を読取る第１読取手段と、
前記自動原稿送り装置によって送られる原稿からの反射光を、搬送路に設けた原稿の表面読取用センサと原稿の裏面読取用センサよりなる密着型イメージセンサに導入し、原稿画像を読取る第２読取手段と、を有する画像読取装置における画像読取制御方法であって、
前記第１読取手段で原稿の一方の面と反転後の他方の面が読み取られる両面高画質読取モードと、前記第２読取手段で原稿の両面が読み取られる両面高速読取モードを設定する第１設定工程と、
前記両面高速読取モードが設定されたとき解像度又は階調数の少なくとも一方を設定する第２設定工程と、
を有し、
前記第２設定工程で前記解像度又は階調数のデフォルト値に代えて、それよりも低い解像度又は階調数に設定し、設定された解像度又は階調数で原稿を読み取る工程と、
を有することを特徴とする画像読取制御方法。
【請求項１０】
請求項９に記載された画像読取制御方法において、
前記原稿の表面読取用センサで読み取られたデータと原稿の裏面読取用センサで読み取られたデータは同じ画像処理部で処理されることを特徴とする画像読取制御方法。
【発明の詳細な説明】
【技術分野】
【０００１】
本発明は、原稿の画像読取を複数の読取モード（フラットベッド読取モード、２種のＡＤＦ読取モード）で行うことが可能な画像読取装置、該画像読取装置の読取データを用いて画像出力を行う画像形成装置（複写機、ファクシミリ、複写・ファクシミリ機能等を複合させたＭＦＰ等）及び前記画像読取装置おける画像読取動作を制御する方法に関する。
【背景技術】
【０００２】
従来から、複写機、ファクシミリ、複写・ファクシミリ・スキャナ配信機能等を複合させたＭＦＰ（Multi-Function Peripherals）等の画像形成装置における画像入力には、装置の構成ユニットとしてのスキャナ、或いは通信手段で接続された外部機としてのスキャナが広く用いられている。
こうした画像入力に用いられるスキャナでは、原稿の画像を２次元（主・副）走査し、画素信号を得る読取方法が一般的に採用されている。２次元走査における主走査は、ＣＣＤ（Charge Coupled Device）ラインイメージセンサ（以下、「ＣＣＤ」或いは「センサ」という場合、このセンサを指す）でライン画像（ビデオ）信号へ変換する際の走査により、又副走査は、原稿画像とＣＣＤを走査機構によって相対変位させることによる。つまり、この主・副走査により、ライン画像信号をサンプリングし、原稿面の２次元画像を表す。
スキャナで読取る原稿は、シートの場合もあるし、ブック（ここでは、複数枚のシートが綴じられた冊子、本等を指す）の場合もある。また、シートは、１枚紙或いは複数枚の束の場合もある。さらに、原稿の表裏両面を読取の対象とする場合もある。
また、センサについても、扱う原稿との関連もあって、縮小光学系を介して原稿画像が入力されるものや、原稿面に直接接し、画像が１：１の倍率で入力される密着型イメージセンサ（ＣＩＳ）が用いられている。
【０００３】
上記した様々な原稿に対応可能な仕組みを備えた従来の画像読取装置として、例えば、下記特許文献１を示すことができる。
下記特許文献１記載の画像読取装置は、ブックやシート原稿を原稿台ガラスに載置して読取るモードと、原稿トレイに載せたシート原稿束からＡＤＦ（Automatic Document Feeder）で１枚ずつ原稿を送り、その搬送途中で原稿を読取るモードと、さらにＣＩＳ（密着型イメージセンサ）を前記ＡＤＦの搬送路に設け、このＣＩＳでシート原稿のもう一方の面を読取る両面読取モードの各モードの読取動作で対応できるようにしたものである。
特許文献１に示したと同様の複数の読取モードで対応する従来の画像読取装置の１例を図１７に示す。
図１７に示す画像読取装置は、走査機構として、コンタクトガラス１８０に載置した原稿（不図示）に対して、読取系のキャリッジ（第１キャリッジ１７４、第２キャリッジ１７６）を移動させる移動機構と、不動の読取系に対して原稿を移動させる機構（ＡＤＦ１５）を備える。また、読取系として、伝達系（ミラー群）、縮小光学系（レンズ１７８）よりなる光学系と、この光学系により結像される原稿画像を受けるＣＣＤ１１１を用いる系と、ＡＤＦ１５の搬送路に設けたＣＩＳ１３５を用いる系を備える。
【０００４】
上記の構成を備えることにより、フラットベッド読取（コンタクトガラス１８０に載置した原稿を読取る）モードでは、第１キャリッジ１７４と第２キャリッジ１７６を移動させることで、副走査方向に位置を変えながら光源（キセノンランプ）１１０で原稿面を照明し、そこからの反射光は、第１、第２、第３のミラー群を経由し、レンズ１７８を通りＳＢＵ（Sensor Board Unit）基板に実装されているＣＣＤ１１１上に結像され、光電変換される。
シートスルーＡＤＦ読取モードでは、ＡＤＦ１５の原稿トレイ１５１に積載された原稿は、１枚づつピックアップローラ１５３、搬送ドラム１５４経由で排紙トレイ１５２に向けて送られ、搬送路に開けられた読取窓１８１を読取位置とし、この窓を通して、送り（副走査）をかけながら、上記フラットベッド読取と共用する読取系で読取られる。なお、このとき、読取系は、第１キャリッジ１７４と第２キャリッジ１７６を読取位置でロックして用いる（図１７はロック位置にある）。ただ、ロックする以外は、上記フラットベッド読取と同様の読取動作を行う。
また、ＣＩＳ読取モードでは、ＡＤＦ１５の搬送路に設けたＣＩＳ１３５で原稿画像を読取る。このとき、ＣＩＳ１３５は、図１７に示すように、上記のシートスルーＡＤＦ読取（レンズ１７８の縮小光学系を用いる）が原稿の表面であるのに対して、裏面画像の読取を行う。
さらに、シートスルーＡＤＦ読取による表面画像読取とＣＩＳ読取による裏面画像読取りをワンパスで行う読取動作を可能とすることにより、読取位置の差はあるがほぼ両面同時読取ができるようにしている。
【特許文献１】特開平１１−６９０８６号公報
【発明の開示】
【発明が解決しようとする課題】
【０００５】
しかしながら、図１７に示した従来技術では、ワンパス両面同時読取はできるものの、原稿の表面は、縮小光学系（レンズ１７８）よって結像される原稿画像をＣＣＤ１１１で受ける読取を行い、裏面はＣＩＳ１３５での読取りを行うことになるので、読取った画像をもとに印刷等の画像出力を行うと、画質に差が生じる。
画質の差としては、各々の読取りに用いる光源（図示しないがＣＩＳ１３５も独自の光源を持つ）の分光分布やセンサ（ＣＣＤ１１１、ＣＩＳ１３５）の分光分布による色味の違い、焦点深度有無（レンズ１７８の有無に係わる）によるＭＴＦ（Modulation Transfer Function）の劣化レベルの違いが要因となる。また、ＣＩＳ１３５においては、複数のセンサチップを繋ぎ合わせているため、繋ぎ目部の画像劣化（スジ画像の発生）、チップ間感度バラツキが発生する。他方、縮小型のＣＣＤ１１１は、ワンチップのためチップ間感度の差は発生しないので、この違いが画質の差となってあらわれる。
この結果、両面画像間に生じるこの画質差に違和感を持つユーザの信頼を損なうことになる。こうした問題が生じるにもかかわらず、これまでに、この問題を解決するための提案が行われてこなかった。
本発明は、両面同時読取を含む複数の読取動作を可能とする、図１７に示したような、従来の画像読取装置において生じる上記した問題に鑑み、この解決を図るもので、両面同時読取において、各面の画質の差を無くした読取りを可能にすることを解決すべき第１の課題とする。
さらに、上記第１の課題を解決するために付加した読取手段（表面を読取るＣＩＳ）によって、読取が複数モードで実行できるようになった場合、ユーザ等の要求に適った読取出力が得られる実行モードを選択し得るようにすることを第２の課題とする。
さらに、両面同時読取を含む複数の読取動作の１つとして、縮小光学系で結像される原稿画像をＣＣＤで受ける方式の両面読取を可能とし、両面読取が複数モードで実行できるようにした場合、ユーザ等の要求に適った読取出力が得られる実行モードを選択し得るようにすることを第３の課題とする。
【課題を解決するための手段】
【０００６】
請求項１の発明は、原稿反転手段を備えた自動原稿送り装置と、前記自動原稿送り装置によって送られる原稿からの反射光を、搬送路の読取位置にロックした縮小光学系によってイメージセンサに結像し、原稿画像を読取る第１読取手段と、前記自動原稿送り装置によって送られる原稿からの反射光を、搬送路に設けた原稿の表面読取用センサと原稿の裏面読取用センサよりなる密着型イメージセンサに導入し、原稿画像を読取る第２読取手段と、前記第１読取手段で原稿の一方の面と反転後の他方の面が読み取られる両面高画質読取モードと、前記第２読取手段で原稿の両面が読み取られる両面高速読取モードを設定する第１設定手段と、前記両面高速読取モードが設定されたとき解像度又は階調数の少なくとも一方を設定する第２設定手段と、を有し、前記第２設定手段は前記解像度又は階調数のデフォルト値に代えて、それよりも低い解像度又は階調数に設定し、設定された解像度又は階調数で原稿を読み取ることを特徴とする。
請求項２の発明は、請求項１に記載された画像読取装置において、前記原稿の表面読取用センサで読み取られたデータと原稿の裏面読取用センサで読み取られたデータは同じ画像処理部で処理されることを特徴とする。
請求項３の発明は、請求項１または２に記載された画像読取装置において、原稿両面を前記第２読取手段によって読取る際に、ワンパスで読取動作を行わせる読取制御手段を備えたことを特徴とする。
請求項４の発明は、請求項１乃至３のいずれかに記載された画像読取装置において、前記第２読取手段の表面読取用と裏面読取用の各密着型イメージセンサが、同一の読取特性を有するものであることを特徴とする。
請求項５の発明は、請求項１乃至４のいずれかに記載された画像読取装置において、前記第２読取手段が、前記第１読取手段よりも低階調性の読取手段であることを特徴とする。
請求項６の発明は、請求項１乃至５のいずれかに記載された画像読取装置において、前記第２読取手段及び前記第１読取手段が、カラー読取が可能な読取手段であることを特徴とする。
請求項７の発明は、請求項１乃至５のいずれかに記載された画像読取装置において、前記第２読取手段が、モノクロ読取を行う読取手段であり、前記第１読取手段が、カラー読取が可能な読取手段であることを特徴とする。
請求項８の発明は、画像入力手段と、入力画像を画像形成用データに変換する画像処理手段と、画像形成用データをもとに画像を形成する画像形成手段を有する画像形成装置であって、前記画像入力手段に請求項１乃至７のいずれかに記載された画像読取装置を備えたことを特徴とする。
請求項９の発明は、原稿反転手段を備えた自動原稿送り装置と、前記自動原稿送り装置によって送られる原稿からの反射光を、搬送路の読取位置にロックした縮小光学系によってイメージセンサに結像し、原稿画像を読取る第１読取手段と、前記自動原稿送り装置によって送られる原稿からの反射光を、搬送路に設けた原稿の表面読取用センサと原稿の裏面読取用センサよりなる密着型イメージセンサに導入し、原稿画像を読取る第２読取手段と、を有する画像読取装置における画像読取制御方法であって、前記第１読取手段で原稿の一方の面と反転後の他方の面が読み取られる両面高画質読取モードと、前記第２読取手段で原稿の両面が読み取られる両面高速読取モードを設定する第１設定工程と、前記両面高速読取モードが設定されたとき解像度又は階調数の少なくとも一方を設定する第２設定工程と、を有し、前記第２設定工程で前記解像度又は階調数のデフォルト値に代えて、それよりも低い解像度又は階調数に設定し、設定された解像度又は階調数で原稿を読み取る工程と、を有することを特徴とする。
請求項１０の発明は、請求項９に記載された画像読取制御方法において、前記原稿の表面読取用センサで読み取られたデータと原稿の裏面読取用センサで読み取られたデータは同じ画像処理部で処理されることを特徴とする。
【発明の効果】
【００１４】
本発明によると、ＡＤＦの搬送路に設けるＣＩＳとして、原稿の表面読取と裏面読取それぞれのセンサを用いる（即ち、表面と裏面の読取に同じＣＩＳを用いる）ようにしたことにより、両面（同時）読取により得られる画像間に画質の差を無くすことで、違和感を生じない出力が可能になり、ユーザの信頼を得ることができ、又両面同時読取の場合には生産性の向上・処理の高速化も図ることができる。
また、両面高速読取モードが設定されたとき、読取解像度、階調数の少なくとも一方を可変設定できるようにしたことで、低画質化に伴うデータ量の低減により処理速度を向上することができる。
【発明を実施するための最良の形態】
【００１５】
以下に示す実施形態は、本発明の画像読取装置、画像形成装置及び画像読取制御方法を画像形成装置としてのカラー複写機に集約した形態で示す。
即ち、カラー複写機が原稿の画像入力を行うために構成ユニットとして装備するスキャナを、本発明に係わる画像読取装置及び画像読取制御方法の実施装置とする。ただ、本発明の画像読取装置は、単体の装置を構成するものであっても良い。また、ここでは、本発明の画像形成装置をカラー複写機に実施する形態を示すが、カラー読取を行うことが要件となっていない発明については、カラーにおける複数色の成分を単色に置換えるだけで、モノクロの複写機であっても、本実施形態と同様に実施可能である。
先ず、本発明の実施形態に係わるカラー複写機の概要を説明する。図１は、本実施形態に係わるカラー複写機の全体構成の概要を示す図である。
図１に示すカラー複写機は、大きく分けると画像読取装置と画像記録装置（プリントエンジン）からなる。画像読取装置は、画像読取ユニット（スキャナ）２、画像処理ユニット３及びＡＤＦ（Automatic Document Feeder：自動原稿送り装置）１５を有する。画像記録装置は、画像書き込みユニット４、ドラムユニット８、現像部１０、中間転写部９、給紙部１１、定着部１２及び複写機機構部６を有する。また、これらの読取と記録の両装置に共通して制御動作を行うために、メインコントローラとしてのシステム制御ユニット１と、ＵＩ（User Interface）としての繰作部ユニット５、画像表示ユニット（ＬＣＤ：Liquid Crystal Display）７を備える。
【００１６】
このカラー複写機によりカラー複写を行う場合の動作の概略を示すと、画像読取ユニット２により、光源からの照明光により照射される原稿を副走査しながら、原稿からの反射光を３ラインＣＣＤ等のイメージセンサにより検出して画像の読取を行い、画像データを画像処理ユニット３に送る。原稿の副走査は、読取系を移動させる方式、ＡＤＦ１５により原稿を移動させる方式を併用よる。また、ＡＤＦによる副走査では、さらに読取を密着型イメージセンサ（ＣＩＳ）方式、縮小光学系を用いる方式を併用する。なお、読取ユニット２については、後述の各実施形態で詳細に説明する。
画像処理ユニット３では、スキャナγ補正、色変換、主走査変倍、画像分離、加工、エリア処理、階調補正処理などの画像処理を行なった画像データを画像書き込みユニット４へ送る。
画像書き込みユニット４では、画像データによってＬＤ（レーザダイオード）の発光を制御する。ドラムユニット８では一様に帯電された回転する感光体ドラムに前記ＬＤからのレーザビームにより静電潜像を書き込み、現像部１０によりトナーを付着させて顕像化させる。感光体ドラム上に作られた画像は、中間転写部９の転写ベルト上に転写される。中間転写ベルト上にはフルカラーコピーの場合４色（ブラック：Bk、シアン：C、マゼンタ：M、イェロー：Y）のトナーが順次重ねられる。本例では、感光体ドラムを単一としているが、４色の各ドラムを持つ、所謂タンデムタイプの作像部を採用しても良い。
フルカラーコピーの場合にはBk、C、M、Yの４色の作像・転写工程が終了した時点で中間転写ベルトとタイミングを合わせて、給紙部１１より転写紙が給紙され、紙転写部で中間転写ベルトから４色同時に転写紙にトナーが転写される。トナーが転写された転写紙は搬送部を経て定着部１２に送られ、定着ローラと加圧ローラによって熱定着され排紙される。
【００１７】
また、上記したコピー動作を行わせる際に、ユーザの選択により設定されるコピーモード等のコピー条件は、操作部ユニット５によって入力される。設定されたコピーモード等のコピー条件に従い実行される動作モードはシステム制御ユニット１に通知され、システム制御ユニット１では設定されたコピーモードを実行するための制御処理を行う。この時、システム制御ユニット１は、画像読取ユニット２、画像処理ユニット３、画像書き込みユニット４、画像表示ユニット７等のユニットに対して制御指示を行う。
図２は、操作部ユニット５の操作パネルの１例を示す図である。図２に示すように、操作部ユニット５の操作パネルにはテンキー４１、モードクリア／予熱キー４２、割り込みキー４３、画質調整キー４４、プログラムキー４５、プリントスタートキー４６、クリア／ストップキー４７、エリア加工キー４８、輝度調整つまみ４９、タッチパネルキー（後記図３のＬＣＤパネル２６上の）５０、初期設定キー５１を備える。
【００１８】
テンキー４１はコピー枚数などの数値入力を行う場合に使用する。モードクリア／予熱キー４２は設定したモードを取り消して初期設定に戻す場合や、一定時間以上の連続押下で予熱状態とする設定を行う。割り込みキー４３はコピー中に割り込み、別の原稿のコピーを行う場合に使用する。画質調整キー４４は画質の調整を行うときに使用する。プログラムキー４５はよく使用するモードの登録や呼出を行う場合に使用する。プリントスタートキー４６はコピー開始の為のキーである。クリア／ストップキー４７は入力した数値をクリアする場合や、コピー途中でコピーを中断する場合に使用する。エリア加工キー４８は画像表示ユニット（ディスプレイエディタ）７上で、エリア加工・編集等のモードを実行する場合に使用する。輝度調整つまみ４９はＬＣＤパネル（後記図３、参照）の画面の明るさを調整する。また、タッチパネルキー５０はＬＣＤパネル上に表示された各種のキーの範囲と同じ範囲にキーエリアを設定して、タッチパネルが前記設定された範囲内の押下を検出すると、その設定されたキーの処理を行う。初期設定キー５１はユーザが各初期設定の選択を行う時に押下する。
【００１９】
また、画像表示ユニット７（図１）に画像読取ユニット２から読み取った画像を表示するには、システム制御ユニット１からの制御指示により、画像読取ユニット２が原稿画像の読取をスタートし、画像読取ユニット２からの画像信号に対して、画像処理ユニット３において画像表示装置で表示するのに適した画像処理を行った後、ＬＣＤパネル等の画像表示装置に原稿の画像データを出力する。
図３は、画像表示ユニット７の回路構成を示す機能ブロック図である。図３に示すように、画像表示ユニット７はコマンドラインを介してシステム制御ユニット１と、また、データラインを介して画像処理ユニット３に接続されており、ＦＩＦＯ（ラインバッファ）２１、ＤＲＡＭ（画像データメモリ）２２、ＣＰＵ２３、ＶＲＡＭ（ビデオメモリ）２４、ＬＣＤＣ（ＬＣＤコントローラ）２５、ＬＣＤ（液晶パネル）２６、ＲＯＭ２７、ＳＲＡＭ２８、シリアル通信ドライバ２９、画像データ信号バッファ（ドライバー／レシーバ）３０、キーボード３１を備える。
画像処理ユニット３から出力された画像データは、画像表示ユニット７のＦＩＦＯ２１を介して、ＣＰＵ２３内蔵のＤＭＡコントローラによって、画像データー格納用のＤＲＡＭ２２に格納される。画像表示ユニット７には画像データと共に画像データー制御信号も送られているので、有効画像領域だけを取り込む事が可能である。ＤＲＡＭ２２に格納された有効画像データは、ＣＰＵ２３によってＶＲＡＭ２４にＤＭＡ転送される。この時ＣＰＵ２３によってＤＲＡＭ２２内の画像データの任意の部分を転送したり、拡大・縮小・間引き等の処理を行うことも可能である。ＶＲＡＭ２４に転送された画像データは、ＬＣＤＣ（ＬＣＤコントローラ）２５の制御によりＬＣＤパネル２６に表示される。
【００２０】
図４は、図３に示す画像表示ユニット７のＬＣＤパネルの１例を示す図である。画像表示ユニット７は画像をＬＣＤパネル２６に表示させる。また、表示画面内で編集・加工のエリア指定／モード設定を行うためのディスプレイエディタを兼用するようにしても良い。図４の各設定キーは図３の機能ブロック図においてはキ−ボード３１の部分にあたる。本発明の画像読取装置にとって重要な部分は、読取キーと明るさ調整キーで、読取キーは原稿の読取をスタートし、読み取られた画像全体をディスプレイに表示するためのキーで、明るさ調整キーはディスプレイの明るさを調整するためのキーである。
図５は、ＬＣＤパネル２６に表示される画面の一例を示す。図５に示されるように、ＬＣＤ画面上でカラーモード、自動濃度、マニュアル濃度、画質モード（自動画像分離）、自動用紙選択、用紙トレイ、用紙自動変倍、変倍（等倍）、ソート、スタック等のモード選択表示があり、さらにクリエイト、カラー加工、両面、変倍等のサブ画面選択表示も用意されている。また、ＬＣＤパネル２６をタッチパネルとし、各表示部の大きさと同様の大きさのキーを設定する。一部のキーはキーの押し下げ操作により画面展開を可能としている。図６は、図５上の変倍キー押下による画面展開の一例を示す。変倍キーが押下されると、画面下方から変倍設定画面がスクロールアップされる。変倍設定画面には定形変倍（予め変倍率が設定されている変倍モード）用のキーが設定されている。例えば７１％の部分のタッチパネルキーを押下すると、変倍率７１％が選択される。また、この画面には定形変倍以外の変倍モードを選択するため、ズームキー、寸法変倍キー、独立変倍／拡大連写キーが画面左側に設定されている。
【００２１】
上記したタッチパネルの検出回路とその動作を説明する。図７は、タッチパネル検出回路の構成の一例を示す図である。また、図８は、図７の検出回路におけるタッチパネルのX，Y各電極の電位の設定状態を表したものである。図７に示すように、タッチパネル検出回路はタッチパネル７１、コントローラ７２、Ａ／Ｄコンバータ７３及び動作の切換回路を備える。コントローラ７２は検出端子をHigh状態にして、タッチパネル７１の各電極の電位X1、X2、Y1、Y2を図８に示されるように設定する。Y1、Y2の回路は抵抗でプルアップされているので、タッチパネル７１OFFのときY1は＋５vになり、ONの時は０vになる。従って、Ａ／Ｄコンバータ７３の出力からON／OFFの状態を確認する。コントローラ７２は、タッチパネル７１のONの状態を検知すると、測定モードに切り換える。X方向の時には、X1は＋５v、X2は０vになり、入力位置の電位がY1を通してＡ／Ｄコンバータ７３に接続されて座標が算出される。また、Y方向の座標も回路を切り換えて同様に算出される。このような検出回路によって、タッチパネル７１の押下位置が検出される。
【００２２】
上記した画像表示部と各種の入力用キーが操作パネル（図２参照）上に集約されている操作部ユニット５について、その回路構成とその動作の概略を以下に記す。図９は、操作部ユニットの回路構成の１例を示す機能ブロック図である。図９に示すように、操作部ユニット５はＣＰＵ５３、アドレスラッチ５４、ＬＣＤＣ（ＬＣＤコントローラ）５５、アドレスデコーダ５６、システムリセット５７、ＲＯＭ５８、ＬＥＤドライバ５９、キーボード６０、タッチパネル６１、ＬＣＤモジュール６２、ＲＯＭ６３、ＲＡＭ６４、光トランシーバ６５を備える。
ＣＰＵ５３からのアドレス信号はアドレスラッチ５４に取り込まれ、メモリへのアクセスコントロールのためにアドレス信号を各メモリに与える。アドレスラッチ５４をでたアドレス信号はその一部がアドレスデコーダ５６に入り、ここで各ＩＣへのチップセレクト信号を作り、メモリマップの作成に使用される。また、アドレスはＲＯＭ５８（又はＲＡＭ）メモリやＬＣＤＣ５５に入りアドレス指定に使用される。一方、ＣＰＵ５３からのデーターバスはＲＯＭ５８やＬＣＤＣ５５に接続され、データの双方向通信が行われる。ＬＣＤＣ５５にはＣＰＵ５３からのアドレスバス、データバスの他に、ＬＥＤドライバ５９、キーボード６０、アナログタッチパネル６１、ＬＣＤモジュール６２、そして表示データ用のＲＯＭ６３、ＲＡＭ６４等が接続されている。ＬＣＤＣ５５はキーボードからの信号やタッチパネル６１からの信号によりＲＯＭ６３、ＲＡＭ６４のデータから表示データを作成し、ＬＣＤモジュール６２の画面表示をコントロールする。また、ＣＰＵ５３には光ファイバー用コネクタとしての光トランシーバ６５が接続されており、外部との通信を行っている。
【００２３】
次に、上記したカラー複写機に装備される本発明を適用した画像読取装置について、より詳細に説明する。
上記［発明が解決しようとする課題］の項で述べたように、両面同時読取を可能とした従来装置（図１７）では、シートスルーＡＤＦ読取による表面画像読取とＣＩＳ読取による裏面画像読取りをワンパスで行う読取動作を行っており、原稿の表裏に異なる読取方式が用いられている。
この方式の違いは、読取りに用いる光源の分光分布やセンサ（ＣＣＤ、ＣＩＳ）の分光分布による色味の違い、焦点深度有無（シートスルーＡＤＦ読取では縮小光学系を用いる）によるＭＴＦの劣化レベルの違いとなって、読取った画像の品質に影響し、表裏面の画質に差を生む。このようにして生じる画質差は、出力画像を利用するユーザの信頼を損なう、という結果につながってしまう。
そこで、本発明では、原稿の表裏に同一の読取方式を用いることによって、画質差の無い読取を可能とすることで、この問題の解決を図る。
以下に示す実施形態では、ＣＩＳを表面画像の読取を行うためにＡＤＦ１５の搬送路に設け、裏面画像の読取を行うためのＣＩＳとともに、同じＣＩＳで両面同時読取を行うことを可能にした基本形態（実施形態１）と、実施形態１に加え、縮小光学系を用いるシートスルーＡＤＦ読取方式によって両面読取を行うことを可能にした２方式併用タイプの形態（実施形態２）と、ＣＩＳ読取方式、縮小光学系を用いるシートスルーＡＤＦ読取方式の両面読取をモノクロ（白黒）とカラーで使い分ける２方式併用タイプの形態（実施形態３）に分けて説明する。
【００２４】
「実施形態１」
ＣＩＳ読取方式で両面同時読取を行うことを可能にした本実施形態に係わる画像読取装置を示す図１０を参照して、本実施装置を説明する。
図１０に示す画像読取装置は、走査機構として、コンタクトガラス１８０に載置した原稿（不図示）に対して、読取系のキャリッジ（第１キャリッジ１７４、第２キャリッジ１７６）を移動させる移動機構と、不動の読取系に対して原稿を移動させる機構（ＡＤＦ１５）を備える。また、読取系として、両面読取を行うためにＡＤＦ１５の搬送路に設けた裏面用ＣＩＳ１３５と表面用ＣＩＳ１３７を用いるＣＩＳ読取系と、伝達系（ミラー群）、縮小光学系（レンズ１７８）よりなる光学系と、この光学系により結像される原稿画像を受けるＣＣＤ１１１を用いる系を備える。
このような構成を備えることにより、フラットベッド読取（コンタクトガラス１８０に載置した原稿を読取る）モードでは、第１キャリッジ１７４と第２キャリッジ１７６をコンタクトガラス１８０に沿って移動させることで、副走査方向に位置を変えながら光源（キセノンランプ）１１０で原稿面を照明する。原稿からの反射光は、第１、第２、第３のミラー群を経由し、レンズ１７８を通りＳＢＵ（Sensor Board Unit）基板に実装されているＣＣＤ１１１上に結像され、光電変換される。
コンタクトガラス１８０の１部に設けた基準白板１８２は、光源１１０の照度やＣＣＤ１１１の検出感度の不均一等により画像信号に生じる誤差を補正するシェーディング補正に用いる基準板である。
【００２５】
シートスルーＡＤＦ読取モードでは、ＡＤＦ１５の原稿トレイ１５１に積載された原稿は、１枚づつピックアップローラ１５３、搬送ドラム１５４経由で排紙トレイ１５２に向けて送られ、搬送路に開けられた読取窓１８１を読取位置とし、この窓を通して、送り（副走査）をかけながら、上記フラットベッド読取と共用する読取系で読取られる。なお、このとき、読取系は、第１キャリッジ１７４と第２キャリッジ１７６を読取位置でロックして用いる（図１０はロック位置にある）。ただ、ロックする以外は、上記フラットベッド読取と同様に、原稿からの反射光を、第１、第２、第３のミラー群、レンズ１７８を経由してＣＣＤ１１１に導き、画像の光電変換を行う。
また、ＣＩＳ読取モードでは、ＡＤＦ１５の原稿トレイ１５１に積載された両面原稿は、ピックアップローラ１５３から給紙され、搬送ドラム１５４で搬送されて、シートスルーＡＤＦ読取モードの読取位置にある読取窓１８１を通過後、その下流側の搬送路に設けた表面用ＣＩＳ１３７と裏面用ＣＩＳ１３５を通過させ、各ＣＩＳで原稿表裏面の画像の光電変換が行われる。なお、本実施形態では、表面用ＣＩＳ１３７と裏面用ＣＩＳ１３５は、カラーセンサを用いている。
また、本実施形態に示したＣＩＳの配置は、ワンパスで両面を読取るように動作させることを前提としたもので、この動作により、両面同時読取動作が実行される。
各ＣＩＳは、センサの読取面に対向して基準白ローラ１５５，１５６を持ち、原稿通紙時に原稿浮きのない安定した原稿搬送と読み取り動作を行える。勿論、白基準として、シェーディング補正にも用いられる。
【００２６】
上記のように、両面原稿の読取に表面用と裏面用のＣＩＳをそれぞれ設け、ＣＩＳ読取方式という同一方式で表裏面の原稿画像を読取ることで、従来の両面同時読取動作において、シートスルーＡＤＦ読取による表面画像読取とＣＩＳ読取による裏面画像読取りを行っていたために読取画像面間に生じた画質差を無くすことができる。
また、両面原稿の読取に用いる表面用ＣＩＳ１３７と裏面用ＣＩＳ１３５に性能（センサの解像度、階調性、センサの分光分布、ＬＥＤ等の光源の分光分布など）の等しいセンサを使用し、読取特性を合わせることによって、さらに画質差の低減効果を上げることが可能になる。
本実施形態では、表面用ＣＩＳ１３７と裏面用ＣＩＳ１３５にカラーセンサを用い、カラー両面原稿の読取がＣＩＳ読取によって行える。カラー原稿を読取るカラーＣＩＳ、色味の問題があり、従来装置（図１７）に示したモノクロ（白黒）ＣＩＳでの画質差以上に問題となるので、カラー読取においては、特に本実施形態の構成を取ることの重要性が大きい。なお、この両面読取の画像面間に生じる画質差の問題は、後述するシートスルーＡＤＦ読取による両面読取においても同様であり、カラー両面原稿を読取るときのＣＣＤにおいてもセンサの読取特性を合わせることが重要になる。
【００２７】
ここで、本実施形態の画像読取装置における読取画像信号の処理系及びスキャナ（画像読取ユニット２）制御系について説明する。
図１１は、読取画像信号の処理系及びスキャナ制御系を主に示す全体ブロック図である。
図１１に示す処理・制御系（以下、スキャナＩＰＵ制御部という）のＣＰＵ１０１は、ＲＯＭ１０２に格納されたプログラムを実行し、ＲＡＭ１０３にデータ等を読み・書きすることによりスキャナＩＰＵ制御部全体の制御を行っている。また、ＣＰＵ１０１は、システム制御部１０４（図１のシステム制御ユニット１に相当）とシリアル通信で接続されおり、コマンド及びデータの送受信により指令された動作を行う。
システム制御部１０４は操作表示部１０５とシリアル通信で接続されており、ユーザからのキー入力指示により動作モード等の指示を設定することができる（図１のシステム制御ユニット１に関する上記説明参照）。また、システム制御部１０４は、シリアル通信で接続したＡＤＦ制御部１３３にコマンド及びデータを送受信し、指令に従った動作を行わせる。ＡＤＦ_Ｉ／Ｏ１３４は、図示しないＡＤＦ内の搬送モータ、給紙モータ、各種クラッチ等の負荷、レジストセンサ、搬送センサ、排紙センサ等のセンサーからなり、ＡＤＦ制御部からのＯＮ／ＯＦＦ制御及び検知が行われる。
一方、ＣＰＵ１０１は１／Ｏ１０６としての、原稿検知センサ、ＨＰ（ホームポジション）センサ、圧板（コンタクトガラス１８０のカバー）開閉センサ、冷却ファン等に接続されており、１／Ｏ１０６における検知及びＯＮ／ＯＦＦといった動作の制御をしている。
スキャナモータドライバ１０７は、タイミング回路１１２からのＰＷＭ出力によりドライブされ、励磁パルスシーケンスを発生し原稿走査駆動用のパルスモータ１０８を駆動する。
【００２８】
縮小光学系（レンズ１７８）を用いる読取系では、原稿画像は、ランプレギュレータ１０９の下に駆動されるハロゲンランプ１１０により照明され、原稿面からの反射光を伝達ミラー群及びレンズ１７８を通り、３ラインＣＣＤ１１１の受光面に結像することにより原稿面の画像が読み取られる。
３ラインＣＣＤ１１１はスキャナＩＰＵ制御部上のタイミング回路１１２によって、各ラインに対し駆動クロックを与えられレッド、グリーン、ブルー（以下、それぞれ「Ｒ」「Ｇ」「Ｂ」と記す）各々の奇数フィールド（以下「ODD」と記す）、偶数フィールド（以下「EVEN」と記す）のアナログの画像信号をエミッタホロワ１１３〜１１５に出力している。エミッタホロワ１１３〜１１５からのアナログ出力はそれぞれアナログ処理回路１１６〜１１８へ入力され、アナログ処理回路内で減算法ＣＤＳを実行し、ＣＣＤのオプテイカルブラック部検出でラインクランプを実施し、ODDとEVENの出力差がなくなるように補正すべく、それぞれのアンプゲイン調整を行う。
ゲイン調整後はマルチプレクサで合成して、最終的にＤＣレベルのオフセット調整（後記する位相調整モードの動作にて詳述）後に、Ｒ、Ｇ、Ｂ各信号をＲＧＢ用の各Ａ／Ｄコンバータ（以下［ＡＤＣ］と記す）１１９〜１２１へ入力する。
【００２９】
ＡＤＣ１１９〜１２１へ入力されたＲ、Ｇ、Ｂ各アナログ信号は、デジタル化されてシェーディング補正回路１２２へ入力される。シェーディング補正回路１２２では、照明系の光量不均一やＣＣＤ１１１の画素出力のバラツキを補正する機能を持っている。
シェーディング補正された画像データは、ライン間補正メモリ１２３，１２４へ入力されて３ラインＣＣＤ１１１のＢとＧ、ＢとＲのライン数の画像データをメモリで遅延させてＢ、Ｇ、Ｒ読取画像信号の１ライン以上の位置合わせを行い、ドット補正回路１２５へ出力する。
ドット補正回路１２５では、ライン間補正メモリ１２３，１２４から出力された画像データをＲ、Ｇ、Ｂデータの１ライン以内でドットのズレを補正する。次いで、スキャナγ補正１２６で、各色ごとに反射率リニアデータをルックアップテーブル方式で適用することにより補正データを得る。
γ補正後の画像データは、自動原稿色判定回路１２８と自動画像分離回路１２９とディレーメモリ１２７を介してＲＧＢフィルタ・色変換処理・変倍処理・クリエイト処理回路１３０に入力される。
自動原稿色判定回路１２８ではＡＣＳ（有彩／無彩判定）処理、即ち、黒及び灰色の判定を行う。また、自動画像分離回路１２９では、エッジ判定（白画素と黒画素の連続性により判定）、網点判定（画像中の山／谷ピーク画素の繰り返しパターンにより判定）及び写真判定（文字・網点外で画像データがある場合）を行い、文字及び印刷（網点）部、写真部の領域を判定してＣＰＵ１０１に伝え、後段のＲＧＢフィルタ、色変換、プリンタγ補正、ＹＭＣＫフィルタ、階調処理でパラメータや係数の切り換えに使用される。
【００３０】
ディレーメモリ１２７を経たＲ、Ｇ、Ｂ画像データは、ＲＧＢフィルタ・色変換処理・変倍処理・クリエイト処理回路１３０のＲＧＢフィルタに入力される。
ＲＧＢフィルタでは、先の領域の判定結果に従って、フィルタ係数を切り換え設定することにより、Ｒ、Ｇ、ＢのＭＴＦ補正、平滑化、エッジ強調、スルー等の処理を行う。続く色変換処理回路では、Ｒ、Ｇ、ＢデータからＹＭＣＫ変換、ＵＣＲ、ＵＣＡ処理を実行する。また、変倍処理回路に入力され主走査の画像データに対して、拡大／縮小処理を実行する。
この処理後に、画像データを分岐し、分岐した画像データの一部はＩ／Ｆを介して画像表示部１３２に入力される。こうすることにより、読取画像を本カラー複写機における画像表示部１３２のＬＣＤパネル（図３、参照）面に表示し、読取結果をモニタすることができる。
クリエイト処理回路ではクリエイト編集、カラー加工を行う。クリエイト編集では斜体、ミラー、影付け、中抜き処理等を実行する。カラー加工では、カラー変換、指定色消去、アンダーカラー等の加工を行う。
プリンタγ補正、ＹＭＣＫフィルタ等の書込処理回路１３１では、先の領域の判定に基づいてプリンタγ変換とＹＭＣＫフィルタに用いる係数を設定する。書込処理に含まれる階調処理ではディザ処理を実行し、ビデオコントロールでは書込タイミング設定や画像領域、白抜き領域の設定やグレースケールやカラーパッチ等のテストパターン発生を行うことができ、最終画像データの書込処理でＬＤ（レーザーダイオード）へ出力できるように処理されて、ＬＤへ出力する。
上記各機能ブロックにおける処理は、ＣＰＵ１０１に接続されたＲＯＭ１０２に格納されているプログラムによる各処理の設定と動作を、システム制御部１０４の指示に従って行うことにより、実行される。
【００３１】
ＣＩＳを用いる読取系では、原稿画像は、先に図１０を参照して説明したように、ＡＤＦ１５の搬送路に設けた裏面用ＣＩＳ１３５と表面用ＣＩＳ１３７を用いて読取られる。裏面、表面用の各ＣＩＳ１３５，１３７は、図示しないが、光源としてのＬＥＤ、ＳＬＡ、センサ素子、Ａ／Ｄ変換回路、デジタル処理（出力レベル調整やシェーディング補正等の処理）回路等で構成されている。
この裏面、表面用の各ＣＩＳ１３５，１３７は、ＡＤＦ制御部１３３の制御下に置かれ、ＡＤＦ制御部１３３からコマンド及び駆動クロックが入力され、原稿の画像データを読込む。なお、ＡＤＦ制御部１３３は、先に述べたように、システム制御部１０４からコマンド及びデータの送受信を受け、ＣＩＳ読取モード時に原稿の送り動作を伴うこの読取モードの制御動作を行う。
裏面用ＣＩＳ１３５と表面用ＣＩＳ１３７で読込まれた画像データは、画像処理部１３６へ入力される。この画像処理部１３６では、前段のＣＩＳ内の処理でＡ／Ｄ変換及びシェーディング補正が行われているので、その後の処理として、画像出力（本実施形態では光書込み）に用いるための処理が施される。即ち、先の縮小光学系を用いる読取系における画処理と同等の、ライン間補正からプリンタγ補正（上記したライン間補正メモリ１２３〜プリンタγ補正・書込処理回路１３１）までの処理が施され、画像の光書込みをするＬＤへと出力される。
ただ、上記の読取動作において、作像（画像形成）側では、両面画像形成を行わない場合、片面ずつ画像形成を行うように制御する。
【００３２】
「実施形態２」
本実施形態は、上記実施形態１に加え、縮小光学系を用いるシートスルーＡＤＦ読取方式によって両面読取を行うことを可能にし、２方式併用タイプの読取を行うことを可能にしたものである。
上記実施形態１（図１０）のシートスルーＡＤＦ読取では、縮小光学系を用いる読取方式（即ち、フラットベッド読取と共用する読取系をＡＤＦ１５の読取位置にロックして使用する方式）であるために、原稿を通紙すると、片面しか読取れない。そこで、本実施形態では、２回の通紙を行うことにより、両面を読取るようにする。この読取方法によると、両面の読取条件が同じになり、画質差を無くすとともに、縮小光学系を用いたことにより、ＭＴＦの劣化やカゲの発生を無くすことができる、というメリットを生かすことができる。
２回の通紙による両面読取を自動で行うことを可能にするために、ＡＤＦ１５に原稿の反転機構を備えるようにする。この機構によって、１回目のシートスルーＡＤＦ読取を行った原稿を反転させ、再びＡＤＦ１５の読取位置を通過させるパスを通すことで、２パス両面読取を可能とする。
【００３３】
以下、本実施形態に係わる画像読取装置を示す図１２を参照して、本実施装置を説明する。
図１２に示す画像読取装置は、上記実施形態１（図１０）におけるＡＤＦ１５の付加構成として、反転切替爪１５８、反転ローラ１５９等よりなる原稿反転機構を備えることにより、シートスルーＡＤＦ読取方式による両面読取を可能とする。なお、図１２において、原稿反転機構以外のメカ構成は、図１０に示した構成と変わりがないので、共通部分については、上記の説明を参照することとし、ここでは記載を省略する。
図１２に示す本実施形態における原稿反転機構は、両面読取時に動作し、片面読取時には不作動とする。両面読取の設定（後記で詳述）が行われ、両面読取動作を行う時には、反転切替爪１５８を操作し、原稿を反転するためにパスを変更する。
即ち、反転切替爪１５８は、通常（両面読取以外）、上側に切替えた状態にあり、原稿トレイ１５１からの原稿は、搬送ドラム１５４、排紙ローラ１５７を経て、排紙トレイ１５２へと送られ、このパスで表面が読取られる。が、両面読取が指示されている場合には、反転切替爪１５８が下側へ切替えられるので、排紙ローラ１５７を経た原稿は、排紙トレイ１５２に送られずに、反転ローラ１５９によって、反転経路１６０側に送られる。その後、反転経路１６０に原稿を保持した状態で、反転切替爪１５８が上側へ切替わり、保持された原稿は、反転ローラ１５９によって再給紙路を経由して搬送ドラム１５４に向けて、再給紙され、このパスで裏面が読取られる。再給紙のパスは、反転切替爪１５８が上側に切替えた通常の状態にあるので、裏面が読取られた原稿を今度は排紙トレイ１５２に向けて排紙する。
【００３４】
上記のように、シートスルーＡＤＦ読取方式による両面読取を付加したことにより、ＡＤＦにセットされた原稿の読取を、先に示したＣＩＳ読取方式による両面読取と合わせて２つの動作モードで行うことが可能になる。
これらの動作モードは、それぞれの特徴を持っている。即ち、ＣＩＳ読取では、通常、低解像度かつ低階調の読取りを行うので、特に１面を読取る時には、高速の読取・処理が可能となり、又、両面を１パスで読取るので読取を短時間でできる。他方、シートスルーＡＤＦ読取では、上記のように、縮小光学系を用いたＣＣＤによる読取を行うので、高画質の読取が可能になるが、両面の場合には２パス読取となるので、読取時間がかかる。このようなことから、読取動作や読取結果に対する要求に応じて、動作モードを適用できるようにすることが望ましい。
そこで、本実施形態では、シートスルーＡＤＦ読取とＣＩＳ読取の２方式の動作が可能な読取に対して、どちらを実行動作モードとするかを選択するモード設定を可能とし、ユーザ或いは装置の管理者等の要求に応えることができるようにする。
具体的には、操作パネル（図２）のＬＣＤパネルに表示されたメイン画面（図５、参照）に設ける入力キーの１つとして、両面処理を指示するキーを設けておき、この両面キーを選択すると、両面処理に関する詳細な設定を行うための操作画面が開かれ、そこに両面原稿の読取を行う時のモード選択キーを設け、ユーザによるモード設定を可能とする。
【００３５】
図１３は、両面原稿の読取を行う時にＬＣＤパネルに表示されたモード設定用の操作画面の１例を示す。
図１３の操作画面には、「両面高画質読取モード」キーと「両面高速読取モード」キーが表示されている。ユーザがキーの１つを押す操作によって、選択が行われる。選択操作が受付けられると、表示が変化して設定を確認できる。図１３の例では、両面高速読取モードが設定されている画面である。
図１３に示した操作画面における各モードの設定入力ボタン（キー）は、「両面高画質読取」と「両面高速読取」を各モードの表示としている。この読取動作モードの表示は、前者がシートスルーＡＤＦ読取に対応し、後者がＣＩＳ読取に対応している。このように、入力キーの読取動作モード表示を画質、処理スピードという各モードの特徴を示す表現方法を用いるようにした。このようにすることで、ユーザが設定を行う場合に、各モードを判断し易くなり、操作を容易にする。なお、画質、処理スピードの少なくとも一方の表現を用いることによっても（例えば、一方を「高画質」、他方を「通常画質」とする）、実施することが可能である。
上記の例は、メイン画面でコピー要求時に行う場合を示したが、デフォルトの設定に関しては、操作パネル（図２）の初期設定キー５１を押下することにより、設定操作ができる各種の初期設定の１部にこの両面原稿読取のモード設定を用意しておくことで、予め選択できるようにする。
【００３６】
上記のようにして操作パネルの操作表示部１０５（図１１）を通じて行われるモード設定は、シリアル通信でシステム制御部１０４へ送られて、システム制御部１０４では、シリアル通信で各コマンドをそれぞれ読取部ＣＰＵ１０１及びＡＤＦ制御部１３３に送り、シートスルーＡＤＦ読取とＣＩＳ読取の２方式の選択されたモードの動作シーケンスを実行することができる。
従って、ユーザのモード設定に従いシステム制御部１０４が実行する一連の動作シーケンスによって行われる読取動作は、次のようになる。
ユーザーは、両面原稿を原稿トレイ１５１にセットした後に、操作表示部１０５のモード設定用の操作画面（図１３）で両面高画質読取モードまたは両面高速読取モードの選択を行う。
ここで、両面高画質読取モードが選択され、スタートキー４６が押下されると、ＡＤＦ１５は、原稿トレイ１５１にセットした原稿をピックアップローラ１５３で給紙し、搬送ドラム１５４で搬送する。このモードでは、シートスルーＡＤＦ読取を行うので、読取位置を通過する表面原稿をフラットベッドの縮小光学系（レンズ１７８）で読み取る（なお、ＣＩＳ読取系は起動しない）。読取後に、原稿は、排紙ローラ１５７で排出されるが、両面読取設定の表面読取時には、反転切替爪１５８が下側に切替えられているので、反転経路１６０側へと排出され、保持される。
次いで、反転経路１６０に保持した原稿の裏面読取を始める。この動作は、反転切替爪１５８が上側へ切替わった後に、反転経路１６０側から再給紙され、再給紙パス経由で搬送ドラム１５４で再度搬送される。今度は、縮小光学系（レンズ１７８）で裏面が読取られる。再給紙のパスは、反転切替爪１５８が上側に切替えた通常の状態にあるので、裏面が読取られた原稿を今度は排紙トレイ１５２に向けて排紙する。
また、両面高速読取モードが選択され、スタートキー４６が押下されると、ＡＤＦ１５は、原稿トレイ１５１にセットした原稿をピックアップローラ１５３で給紙し、搬送ドラム１５４で搬送する。このモードでは、ＣＩＳ読取を行う（なお、上記したフラットベッドの縮小光学系を用いる読取系は起動しない）。ＣＩＳ読取は、１パスで両面読取を行うことができるように、搬送路に表裏各面のＣＩＳを設けており、先ず、表面用ＣＩＳ１３７で表面読取を行い、引き続き裏面用ＣＩＳ１３５で裏面読取を行った後に、排紙トレイ１５２に排出される。なお、ＣＩＳ読取モードでは、反転機構は必要が無いので、不作動であり、反転切替爪１５８は、通常の上側に切替えた状態を維持する。
【００３７】
上記では、ＣＩＳ読取の特徴を高速読取とする観点で、シートスルーＡＤＦ読取とＣＩＳ読取の選択性について、述べた。
ただ、ＡＤＦ１５内の表裏読取り用の各ＣＩＳで両面同時読取を行う場合、ＣＩＳ２個からの画像データが、画像処理部１３６へ同時に入力されるため、データ量がネックとなって、処理速度が上がらなくなってくる。
そこで、原稿によっては画質がそれほど要求されない場合もあることを考慮し、処理速度との兼ね合いから、許容限界まで画質を低減させること、つまり、低画質化に伴うデータ量の低減により処理速度の向上を可能とする。このデータ量の低減は、データ量に依存するファクタである読取解像度、階調数の少なくとも一方を可変設定できるようにして、読取り動作の最適化を図ることができるようにする。
先ず、読取解像度を可変することによりデータ量の低減を最適化できるようにする実施形態を示す。本実施形態では、上記した両面原稿読取のモード設定（図１３、参照）の詳細設定として行う例を示す。即ち、「両面高画質読取モード」と「両面高速読取モード」から一方を実行動作モードとして選択する操作画面で、「両面高速読取モード」キーが選択された場合に、開かれるサブ画面で設定操作を行うことを可能にする。
図１４は、本実施形態の読取解像度を可変設定する操作画面を示す。図１４に示す操作画面は、両面高速読取モードとしてのＣＩＳ読取モードの解像度を設定する表示画面である。この画面上には、１００ｄｐｉの刻みで「６００ｄｐｉ」〜「１００ｄｐｉ」キーを選択することが可能である。ユーザがキーの１つを押す操作によって、選択が行われる。選択操作が受付けられると、表示が変化して設定を確認できる。図１４の例では、「２００ｄｐｉ」が設定されている。ユーザ操作により設定されたｄｐｉでＣＩＳ読取をするように、設定指示がシステム制御部１０４を介してＡＤＦ制御部１３３に送られて、表裏読取り用の各ＣＩＳに対して、同じ解像度設定がなされることで、目的の動作が実現できる。
例えば、デフォルト設定が６００ｄｐｉであった場合、読取解像度を可変設定するこの操作画面によって、２００ｄｐｉへ設定変更した場合には、データ量が１／３となるので処理速度を速くすることが可能となる。これは、図示しないＨＤＤ等へ読取画像データを蓄積する場合には、蓄積量も低減でき、かつ高速化もできるメリットがある。
【００３８】
次に、階調数を可変することによりデータ量の低減を最適化できるようにする実施形態を示す。本実施形態でも、上記の解像度設定におけると同様に、「両面高画質読取モード」と「両面高速読取モード」から一方を実行動作モードとして選択する操作画面（図１３）で、「両面高速読取モード」キーが選択された場合に、開かれるサブ画面で設定操作ができるようにする。
図１５は、本実施形態の階調数を可変設定する操作画面を示す。図１５に示す操作画面は、両面高速読取モードとしてのＣＩＳ読取モードの階調数を設定する表示画面である。この画面上には、６段階のｂｉｔ数の「１０ｂｉｔ」〜「１ｂｉｔ」キーを選択することが可能である。ユーザがキーの１つを押す操作によって、選択が行われる。選択操作が受付けられると、表示が変化して設定を確認できる。図１５の例では、「４ｂｉｔ」が設定されている。ユーザ操作により設定されたｂｉｔ数でＣＩＳ画像読み取り出力階調数の制限をするように、設定指示がシステム制御部１０４を介してＡＤＦ制御部１３３に送られて、表裏読取り用の各ＣＩＳに対して、同じ階調設定がなされることで、目的の動作が実現できる。
例えば、デフォルト設定が１０ｂｉｔであった場合、階調数を可変設定するこの操作画面によって、４ｂｉｔへ設定変更した場合には、データ量が２／５となるので処理速度を速くすることが可能となる。これは、図示しないＨＤＤ等へ読取画像データを蓄積する場合には、蓄積量も低減でき、かつ高速化もできるメリットがある。
【００３９】
「実施形態３」
本実施形態は、ＣＩＳ読取、縮小光学系を用いるシートスルーＡＤＦ読取の２方式併用タイプの上記実施形態２の装置において、ＣＩＳによる両面読取をモノクロ（白黒）専用のセンサとしたものである。
上記実施形態２（図１２）では、ＣＩＳ読取、縮小光学系を用いるシートスルーＡＤＦ読取の２方式で両面の読取条件を同じにし、画質差を無くすことを可能にした両面原稿の読取を可能にした。ただ、実施形態２は、２読取方式はともに、カラー読取が可能なセンサを用いるものであり、原稿によってはカラー読取が不要であり、しかも画質に対してもそれほど要求が高くない場合もあり、こうした原稿においては、最適な読取動作が保証されない。そこで、上記のような原稿に適合する読取を、併用した２読取方式の一方に特化する、即ち、ＣＩＳ読取のセンサをモノクロ用のセンサとすることにより、読取り動作の最適化を図ることができるようにするものである。
図１６は、本実施形態に係わる画像読取装置を示す。同図に示す画像読取装置は、上記実施形態２（図１２）における裏面用ＣＩＳ１３５と表面用ＣＩＳ１３７として、モノクロセンサを採用することで、モノクロＣＩＳ読取方式による両面読取を可能とする。なお、図１６において、裏面用ＣＩＳ１３５と表面用ＣＩＳ１３７をモノクロセンサとした以外の構成は、図１２に示した構成と変わりがないので、共通部分については、上記の説明を参照することとし、ここでは記載を省略する。
このように、ＣＩＳ読取のセンサをモノクロにしたことで、センサの画像データ出力は、カラーのＲ、Ｇ、Ｂ３系統の場合に比べて、白黒の１系統となるので、データ量も１／３となり、処理の高速化が図れる。
また、高速化以外にモノクロＣＩＳとしたことでコストダウンが図れるメリットがある。
なお、本実施形態において、カラー原稿の場合は、当然、実施形態２と同様に、原稿反転機構を用いた２パスのシートスルーＡＤＦ読取によって両面カラー読取を行うことができる。
【図面の簡単な説明】
【００４０】
【図１】本実施形態に係わるカラー複写機の全体構成の概要を示す。
【図２】図１に示すカラー複写機の操作パネルの１例を示す。
【図３】図１に示すカラー複写機の画像表示ユニットの回路構成を示す機能ブロック。
【図４】図３に示すに示す画像表示ユニットのＬＣＤパネルの１例を示す。
【図５】図４に示されるＬＣＤパネルに表示される画面の１例を示す。
【図６】図５に示される画面上の変倍キー押下による画面展開の１例を示す。
【図７】タッチパネル検出回路の構成の１例を示す。
【図８】図７の検出回路におけるタッチパネルのX,Y各電極の電位の設定状態を表す。
【図９】カラー複写機（図１）における操作部ユニットの回路構成の１例を機能ブロックにて示す。
【図１０】ＣＩＳ読取方式で両面同時読取を行うことを可能にした実施形態１に係わる画像読取装置を示す。
【図１１】読取画像信号の処理系及びスキャナ制御系を主に示す全体ブロック図を示す。
【図１２】ＣＩＳ読取、縮小光学系を用いるシートスルーＡＤＦ読取の２方式で両面読取を行うことを可能にした実施形態２に係わる画像読取装置を示す。
【図１３】両面原稿読取時にＬＣＤパネルに表示されたモード設定用の操作画面の１例を示す。
【図１４】両面高速読取モードにおいて読取解像度を可変設定する操作画面を示す。
【図１５】両面高速読取モードにおいて階調数を可変設定する操作画面を示す。
【図１６】ＣＩＳ読取、縮小光学系を用いるシートスルーＡＤＦ読取の２方式で両面読取を行うことを可能にした実施形態３に係わる画像読取装置を示す。
【図１７】ＣＩＳ読取、シートスルーＡＤＦの読取モードで対応する従来の画像読取装置の１例を示す。
【符号の説明】
【００４１】
１・・システム制御ユニット、        ２・・画像読取ユニット、
３・・画像処理ユニット、            ４・・画像書込ユニット、
５・・操作部ユニット、              ７・・画像表示ユニット、
１５・・ＡＤＦ（自動原稿送り装置）、４６・・プリントスタートキー、
５０・・タッチパネルキー、          ５１・・初期設定キー、
１０１・・ＣＰＵ、                  １０４・・システム制御部、
１０５・・操作表示部、              １１０・・光源（キセノンランプ）、
１１１・・３ラインＣＣＤ（イメージセンサ）、
１３３・・ＡＤＦ制御部、            １３５・・裏面用ＣＩＳ、
１３７・・表面用ＣＩＳ、            １５１・・原稿トレイ、
１５２・・排紙トレイ、              １５４・・搬送ドラム、
１５７・・排紙ローラ、              １５８・・反転切替爪、
１５９・・反転ローラ、              １８０・・コンタクトガラス、
１８１・・読取窓。
【図１】
0004596425.tif 000002
【図２】
0004596425.tif 000003
【図３】
0004596425.tif 000004
【図４】
0004596425.tif 000005
【図５】
0004596425.tif 000006
【図６】
0004596425.tif 000007
【図７】
0004596425.tif 000008
【図８】
0004596425.tif 000009
【図９】
0004596425.tif 000010
【図１０】
0004596425.tif 000011
【図１１】
0004596425.tif 000012
【図１２】
0004596425.tif 000013
【図１３】
0004596425.tif 000014
【図１４】
0004596425.tif 000015
【図１５】
0004596425.tif 000016
【図１６】
0004596425.tif 000017
【図１７】
0004596425.tif 000018